(57)【要約】【課題】  通信履歴情報のうち所望する情報を、ユーザが容易に確認することを可能にする。【解決手段】  他局との通信がある毎に通信履歴情報がメモリに記録される。ユーザが送信履歴表示ボタン３０１を押すと、メモリから通信履歴情報が読み出され、履歴表示領域３００に通信日時の新しい順に表示される。ユーザが宛先ボタン３０３を押し、テンキーにより特定の電話番号を入力すると、当該電話番号の相手先との送信に関する情報が、色を変えるなどにより特殊表示される。更に、ユーザが選択ボタン３０６を押すと、履歴表示領域３００には特殊表示されていた情報のみが表示され、他は消去される。【選択図】      図７
2007074253.tif 000002
【特許請求の範囲】
【請求項１】
情報を記録するメモリと、
情報を出力する出力部と、
他局との通信がある毎に、相手先番号を含む当該通信に関する情報を通信履歴情報として前記メモリに記録する履歴記録部と、
ユーザによる特定種類の情報の指定を受け付ける指定受付部と、
前記通信履歴情報のうちの少なくとも前記特定種類の情報を前記メモリから読み出す履歴情報読出部と、
読み出された前記通信履歴情報のうちの指定が受付けられた前記特定種類の情報のみを前記出力部により出力させる履歴情報出力部と、を備えるファクシミリ装置。
【請求項２】
前記出力部は、情報を画面に表示する表示部を有し、
前記履歴情報出力部は、前記特定種類の情報を前記表示部に表示させる請求項１記載のファクシミリ装置。
【請求項３】
情報を記録するメモリと、
情報を画面に表示する表示部と、
他局との通信がある毎に、相手先番号を含む当該通信に関する情報を通信履歴情報として前記メモリに記録する履歴記録部と、
ユーザによる特定種類の情報の指定を受け付ける指定受付部と、
前記通信履歴情報を前記メモリから読み出す履歴情報読出部と、
読み出された前記通信履歴情報を前記表示部へ表示するとともに、指定が受け付けられた前記特定種類の情報に該当する部分を他とは異なる表示形式で表示する履歴情報出力部と、を備えるファクシミリ装置。
【請求項４】
前記指定受付部は、前記特定種類の情報として、特定の相手先番号の他局との通信に関する情報の指定を受け付ける請求項１ないし３の何れかに記載のファクシミリ装置。
【請求項５】
前記履歴記録部は、前記通信の通信日時を、前記相手先番号に関連づけて前記通信に関する前記情報に含めるものであり、
前記指定受付部は、前記特定種類の情報として、通信日時の最も新しい特定数の通信に関する情報の指定を受け付ける請求項１ないし４の何れかに記載のファクシミリ装置。
【請求項６】
前記履歴記録部は、前記通信時に発生したエラーに関する情報である通信エラー情報を、前記相手先番号に関連づけて、前記通信に関する前記情報に含めるものであり、
前記指定受付部は、前記特定種類の情報として、エラーを生じた通信に関する情報の指定を受け付ける請求項１ないし５の何れかに記載のファクシミリ装置。
【請求項７】
前記履歴記録部は、前記通信時に発生したエラーの種類を前記エラー情報に含めるものであり、
前記指定受付部は、前記特定種類の情報として、特定種類のエラーを生じた通信に関する情報の指定を受け付ける請求項６記載のファクシミリ装置。
【発明の詳細な説明】
【技術分野】
【０００１】
本発明は、ファクシミリ装置に関し、特に、通信履歴情報を出力する機能を有するファクシミリ装置に関する。
【背景技術】
【０００２】
従来、この種のファクシミリ装置として、送信された情報が相手方に正常に受信されているか否かを確認するための通信管理機能を利用し、所定の通信回数毎に通信管理レポートを記録紙にプリント出力するものが知られている。特に、特許文献１に開示されるファクシミリ装置は、相手先電話番号等を含む通信管理レポートにおけるプリント表示形式を、ユーザが指定する特定の相手先電話番号等に対応する通信に関しては、通常とは異なる、白黒反転、太字や斜体文字、或いは多色刷り表示などの「特殊表示」とすることにより、ユーザの確認を容易にしようとしている（特許文献１を参照）。
【特許文献１】特開２００３−６０８２２号公報
【発明の開示】
【発明が解決しようとする課題】
【０００３】
しかしながら、特許文献１に開示される通信管理レポートは、全相手先電話番号の一覧表のうちの所定数の最新のものを送受信順に記録するものであり、ユーザが所望するものと、そうでないものとが同時にプリントされているので、ユーザによる所望の情報の確認が、なお容易でないという問題点があった。更に、通信管理レポートはプリント出力されるものであるから、記録紙を余分に消費するという問題点があった。
【０００４】
本発明は上記の問題点に鑑みてなされたもので、通信履歴情報のうち所望する情報をユーザが容易に確認することを可能にするファクシミリ装置を提供することを目的とする。本発明は、更に、記録紙の余分な消費を抑えつつ、通信履歴情報のうち所望する情報をユーザが容易に確認することを可能にするファクシミリ装置を提供することを目的とする。
【課題を解決するための手段】
【０００５】
上記課題を解決し上記目的を達成するために、本発明のうち第１の態様に係るものは、ファクシミリ装置であって、情報を記録するメモリと、情報を出力する出力部と、他局との通信がある毎に、相手先番号を含む当該通信に関する情報を通信履歴情報として前記メモリに記録する履歴記録部と、ユーザによる特定種類の情報の指定を受け付ける指定受付部と、前記通信履歴情報のうちの少なくとも前記特定種類の情報を前記メモリから読み出す履歴情報読出部と、読み出された前記通信履歴情報のうちの指定が受付けられた前記特定種類の情報のみを前記出力部により出力させる履歴情報出力部と、を備えるものである。
【０００６】
この構成によれば、他局との通信がある毎に通信履歴情報がメモリに記録され、例えばユーザの要求があった場合或いは定期的になど、履歴情報読出部はメモリから通信履歴情報を読み出す。このとき、ユーザによる特定種類の情報の指定が既に受け付けられておれば、履歴情報読出部は、指定された特定種類の情報のみをメモリから読み出しても良い。ユーザによる特定種類の情報の指定が受け付けられておれば、履歴情報出力部は、通信履歴情報のうち指定された特定種類の情報のみを出力部に出力させる。このため、ユーザは、所望する情報を容易に確認することができる。
【０００７】
ここで、通信履歴情報は、送信履歴情報と受信履歴情報の一方でも良く、双方でも良い。また、出力部は、画面に情報を表示する表示部、記録用紙等の記録材に情報を印画する印画部、音声により情報を出力する音声出力部等、様々な形態を採り得る。また、ファクシミリ装置とは、電話回線を通じたＧ３規格に基づくファクシミリ通信を行う通常のファクシミリ装置だけでなく、ＴＣＰ／ＩＰ等のインタネット関連プロトコルに従ってファクシミリ通信を行う、いわゆるインタネットファクシミリ装置も包含する。同様に、他局は、電話回線を通じたＧ３規格に基づくファクシミリ通信の相手先だけでなく、ＴＣＰ／ＩＰ等のインタネット関連プロトコルに従ってファクシミリ通信を行う相手先をも包含する。また、相手先番号は、電話番号に限らず、ＩＰアドレスなど、厳密には番号には該当しなくとも、通信相手を特定する符号を広く包含する。
【０００８】
本発明のうち第２の態様に係るものは、第１の態様に係るファクシミリ装置であって、前記出力部は、情報を画面に表示する表示部を有し、前記履歴情報出力部は、前記特定種類の情報を前記表示部に表示させるものである。
【０００９】
この構成によれば、出力部が表示部を有し、ユーザが指定した特定種類の情報のみが表示部へ表示される。このため、広さの限られた画面上であっても、ユーザは支障なく所望する情報を確認することができる。
【００１０】
本発明のうち第３の態様に係るものは、ファクシミリ装置であって、情報を記録するメモリと、情報を画面に表示する表示部と、他局との通信がある毎に、相手先番号を含む当該通信に関する情報を通信履歴情報として前記メモリに記録する履歴記録部と、ユーザによる特定種類の情報の指定を受け付ける指定受付部と、前記通信履歴情報を前記メモリから読み出す履歴情報読出部と、読み出された前記通信履歴情報を前記表示部へ表示するとともに、指定が受け付けられた前記特定種類の情報に該当する部分を他とは異なる表示形式で表示する履歴情報出力部と、を備えるものである。
【００１１】
この構成によれば、他局との通信がある毎に通信履歴情報がメモリに記録され、例えばユーザの要求があった場合或いは定期的になど、履歴情報読出部はメモリから通信履歴情報を読み出す。ユーザによる特定種類の情報の指定が受け付けられておれば、履歴情報出力部は、指定された特定種類の情報に該当する部分を他とは異なる表示形式にして、通信履歴情報を表示部へ表示する。このため、ユーザは、所望する情報を画面上で容易に確認することができる。また、通信履歴を印画することによる記録紙の余分な消費を抑えることができる。ここで、通信履歴情報、ファクシミリ装置、他局、及び相手先番号の意義については、前述の通りである。
【００１２】
本発明のうち第４の態様に係るものは、第１ないし第３の何れかの態様に係るファクシミリ装置であって、前記指定受付部は、前記特定種類の情報として、特定の相手先番号の他局との通信に関する情報の指定を受け付けるものである。
【００１３】
この構成によれば、指定受付部が特定種類の情報として、特定の相手先番号の他局との通信に関する情報の指定を受け付けるので、かかる情報のみが出力され、或いはかかる情報が他とは表示形式を異ならせて出力される。このため、ユーザは所望する特定の相手先番号との通信に関する情報を、容易に確認することができる。
【００１４】
本発明のうち第５の態様に係るものは、第１ないし第４の何れかの態様に係るファクシミリ装置であって、前記履歴記録部は、前記通信の通信日時を、前記相手先番号に関連づけて前記通信に関する前記情報に含めるものであり、前記指定受付部は、前記特定種類の情報として、通信日時の最も新しい特定数の通信に関する情報の指定を受け付けるものである。
【００１５】
この構成によれば、履歴記録部は、通信がある毎に、通信日時を相手先番号に関連づけて通信履歴情報としてメモリに記録し、指定受付部が特定種類の情報として、通信日時の最も新しい特定数の通信に関する情報の指定を受け付けるので、かかる情報のみが出力され、或いはかかる情報が他とは表示形式を異ならせて出力される。このため、ユーザは所望する特定数の最新の通信に関する情報を、容易に確認することができる。ここで、特定数は、あらかじめ定められた固定値であってもよく、ユーザの指示により可変であってもよい。特定数は１以上の数であり得る。
【００１６】
本発明のうち第６の態様に係るものは、第１ないし第５の何れかの態様に係るファクシミリ装置であって、前記履歴記録部は、前記通信時に発生したエラーに関する情報である通信エラー情報を、前記相手先番号に関連づけて、前記通信に関する前記情報に含めるものであり、前記指定受付部は、前記特定種類の情報として、エラーを生じた通信に関する情報の指定を受け付けるものである。
【００１７】
この構成によれば、履歴記録部は、通信がある毎に、通信エラー情報を相手先番号に関連づけて通信履歴情報としてメモリに記録し、指定受付部が特定種類の情報として、エラーを生じた通信に関する情報の指定を受け付けるので、かかる情報のみが出力され、或いはかかる情報が他とは表示形式を異ならせて出力される。このため、ユーザは所望するエラーを生じた通信に関する情報を、容易に確認することができる。
【００１８】
本発明のうち第７の態様に係るものは、第６の態様に係るファクシミリ装置であって、前記履歴記録部は、前記通信時に発生したエラーの種類を前記エラー情報に含めるものであり、前記指定受付部は、前記特定種類の情報として、特定種類のエラーを生じた通信に関する情報の指定を受け付けるものである。
【００１９】
この構成によれば、履歴記録部は、通信がある毎に、通信エラー情報にエラーの種類を含めて通信履歴情報としてメモリに記録し、指定受付部が特定種類の情報として、特定種類のエラーを生じた通信に関する情報の指定を受け付けるので、かかる情報のみが出力され、或いはかかる情報が他とは表示形式を異ならせて出力される。このため、ユーザは所望する特定種類のエラーを生じた通信に関する情報を、容易に確認することができる。
【発明の効果】
【００２０】
以上のように本発明によれば、ユーザは通信履歴情報のうち所望する情報を容易に確認することが可能となる。また、ユーザは記録紙の余分な消費を抑えつつ、通信履歴情報のうち所望する情報を容易に確認することが可能となる。
【発明を実施するための最良の形態】
【００２１】
（装置の構成）
図１は、本発明の一実施形態によるファクシミリ装置の内部構成を概略的に示す側面図である。このファクシミリ装置は、ファクシミリ機能に加えて、コピー機能、プリンタ機能、及びスキャナ機能等の多機能を兼ね備えた複合機１として構成されている。複合機１は、本体部２と、本体部２の左方に配設されたスタックトレイ３と、本体部２の上部に配設された原稿読取部５と、原稿読取部５の上方に配設された原稿給送部６とを有している。
【００２２】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００２３】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２４】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２５】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２６】
本体部２は、複数の給紙カセット４６１と、給紙カセット４６１から記録紙を１枚ずつ繰り出して記録部４０へ搬送する搬送ローラ４６２と、給紙カセット４６１から搬送されてきた記録紙に画像を形成する記録部４０とを備える。
【００２７】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２８】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２９】
図２は複合機１の概略構成を示すブロック図である。複合機１は、装置全体の動作制御を司る制御部１００を備えている。制御部１００には、露光ランプ１２１及びＣＣＤ１２２等からなる原稿画像の読み取りが可能なスキャナ部１２０と、用紙搬送部１３１，画像形成部１３２，転写部１３３及び定着部１３４等からなる記録部１３０とが接続されている。また、制御部１００には、スキャナ部１２０で読み取られた文書データ等が一時的に保存される画像メモリ１４０と、大量の文書データを保存可能な記憶容量を有する大容量のＨＤＤ（記憶装置）１５０とが接続されている。
【００３０】
画像処理部１６０は、スキャナ部１２０による原稿読み取り時には、スキャナ部１２０から出力されるアナログ画像をデジタル画像に変換し、画質を向上させる画像処理を施した後、圧縮画像に変換する。なお、本明細書では説明を簡潔なものとするために、画像データをも適宜、画像と表現する。変換された圧縮画像は画像メモリ１４０に書き込まれる。制御部１００は、画像メモリ１４０に書き込まれた圧縮画像を、文書管理の対象となるファイルデータとしてＨＤＤ１５０に格納する。また、登録文書のプリントアウト時には、ＨＤＤ１５０又はネットワーク上の各コンピュータから、プリントアウト対象のファイルデータ（圧縮画像）が画像メモリ１４０に書き込まれ、画像処理部１６０は、当該圧縮されたファイルデータを伸張処理し、出力状態に応じた画像処理を施し、例えばレーザ露光の場合には、アナログの変調信号であるレーザ信号に変換する。記録部１３０（画像形成部１３２）は、例えばアナログ変調されたレーザ信号に基づいてプリントアウトを実行する。
【００３１】
制御部１００は、不図示のＣＰＵ（Central Processing Unit；中央演算処理部）、このＣＰＵの動作を規定するプログラムを格納するＲＡＭ（Random Access Memory）或いはＲＯＭ（Read Only Memory）等の記憶部を有している。すなわち、制御部１００はコンピュータを備えている。それにより、制御部１００は、スキャナコントローラ１０１，ファクシミリコントローラ１０２，プリンタコントローラ１０３，コピーコントローラ１０４及びネットワークコントローラ１０５として機能する。
【００３２】
制御部１００としてのコンピュータが読み取ることによってこれらの機能を実現するための上記プログラムは、ＨＤＤ（ハードディスクドライブ）１５０等の不揮発性かつ大容量の外部記憶装置に格納しておき、上記ＲＡＭ等の主記憶装置に適宜転送することにより、ＣＰＵによる実行に供することも可能である。上記プログラムは、ＲＯＭ或いはＣＤ−ＲＯＭ等の記録媒体を通じて供給することも、後述するネットワークインタフェース２１０に接続されるネットワーク等の伝送媒体を通じて供給することも可能である。プログラムがＲＯＭを通じて供給される場合には、当該プログラムが記録されたＲＯＭを制御部１００に搭載することにより、ＣＰＵによる実行に供することができる。プログラムがＣＤ−ＲＯＭを通じて供給される場合には、ＣＤ−ＲＯＭ読み取り装置を、例えば後述するパラレルインタフェース部１８１へ接続し、当該プログラムをＲＡＭ或いはＨＤＤ１５０へ転送することにより、ＣＰＵによる実行に供することができる。また、プログラムが伝送媒体を通じて供給される場合には、ネットワークインタフェース２１０等を通じて受信したプログラムをＲＡＭ或いはＨＤＤ１５０へ転送することにより、ＣＰＵによる実行に供することができる。
【００３３】
スキャナコントローラ１０１は、スキャナ動作に必要な各部の動作制御を行うものである。
【００３４】
ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０は、符号・復号化部（ＣＯＤＥＣ；コーデック）１７１、モデム１７２及びＮＣＵ（Network Control Unit）１７３を備えている。ＮＣＵ１７３は、データを送受信する相手、すなわち通信先であるファクシミリ装置との電話回線を通じた接続を制御するものである。モデム１７２は、ファクシミリコントローラ１０２から符号・復号化部１７１を通じて送られるデジタルの送信信号をアナログの変調信号へ変換する（すなわち、変調する）とともに、ＮＣＵ１７３を通じて入力されるアナログの変調信号である受信信号を復調し、デジタル信号へ変換するものである。
【００３５】
符号・復号化部１７１は、ファクシミリコントローラ１０２から送られる送信信号を符号化してモデム１７２を介してＮＣＵ１７３へ送るとともに、ＮＣＵ１７３からモデム１７２を介して送られてくる受信信号を復号化してファクシミリコントローラ１０２へ伝える。符号・復号化部１７１は、例えば、画像データを一次元符号化方式（ＭＨ）で復号化するものと、二次元符号化方式（ＭＲ）で復号化するものとが選択的に使用可能なように構成されている。なお、ＭＲ方式に代えて、あるいはＭＲ方式とともに、先頭ラインがＭＨ方式で符号化されたデータをその頁分だけＭＲ方式で符号化するＭＭＲ方式によるデータを復号化する方式を採用することもできる。
【００３６】
複合機１を用いることにより、スキャナ部１２０で読み取られた画像データを、ファクシミリ通信部１７０を通じて通信先のファクシミリ装置へ送信することができ、通信先からファクシミリ通信部１７０を通じて受信した画像データを記録部１３０によって記録紙にプリントアウトすることができる。すなわち、複合機１は通常のファクシミリ装置が有する通信機能を実現する。複合機１は、それに加えて、ネットワーク上のコンピュータからネットワークインタフェース２１０を通じて受信した画像データを、ファクシミリ通信部１７０を通じて通信先のファクシミリ装置へ送信することも、逆に通信先からファクシミリ通信部１７０を通じて受信した画像データを、ネットワークインタフェース２１０を通じてネットワーク上のコンピュータへ配信することも可能にする。複合機１は更に、ＨＤＤ１５０等に蓄積される画像データを、ファクシミリ通信部１７０を通じて通信先のファクシミリ装置へ送信することも、逆に通信先からファクシミリ通信部１７０を通じて受信した画像データを、ＨＤＤ１５０等に蓄積することも可能にする。
【００３７】
コピーコントローラ１０４は、コピー動作に必要な各部の動作制御を行うものである。プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ（インタフェース）部１８１と、単一の信号線を用いて1ビットずつ順次データを送るシリアル伝送で外部機器と接続するシリアルＩ／Ｆ（インタフェース）部１８２とが接続されている。
【００３８】
ネットワークコントローラ１０５は、本複合機１とネットワーク上のコンピュータ、更には、インターネット上のサイトとの間で行われるデータ送受信を制御するものである。ネットワークコントローラ１０５は、ネットワークＩ／Ｆ２１０に、外部とデータを送受信させる。
【００３９】
操作パネル部１９０は、複合機１の操作に必要な各種の指示を操作者（ユーザ）が入力するためのものである。操作パネル部１９０は、ＬＣＤ（liquid crystal display）等からなり、複合機１の操作に必要な各種操作メッセージや登録文書の各種情報が表示される表示部１９１と、プリントアウト実行指示や文書のプリントアウト部数等が入力されるテンキー等からなる操作キー１９２とを有している。なお、表示部１９１は、タッチパネル機能を備え、操作者が当該タッチパネルに接触することによって必要な指示を入力できる構成を有することが好ましい。ファクシミリ機能を用いて画像データを送信する場合には、ユーザは、操作パネル部１９０を操作することにより、通信先をファクシミリ番号で指定したり、ユーザが予め登録している短縮ファクシミリ番号で指定したりすることができる。
【００４０】
管理用メモリ２００は、ＨＤＤ１５０に格納された登録文書の管理情報及び文書コード等が格納されるものである。
【００４１】
注目すべきは、制御部１００には、更に、通信履歴メモリ１５１及び音声出力部２２０が接続されていることであり、制御部１００が、更に、履歴記録部１０６及び履歴表示処理部１０７を有していることである。通信履歴メモリ１５１は、後述する通信履歴情報を記録するためのメモリであり、例えばＲＡＭを有している。通信履歴メモリ１５１として、書き換え可能な他の記憶媒体、例えばフラッシュＲＯＭ、ＨＤＤ（ハードディスク）１５０等を用いても良い。
【００４２】
音声出力部２２０は、情報を音声で出力する装置であり、音声データ生成部２２１及びスピーカ２２２を有している。音声データ生成部２２１は、例えばデジタル信号で表現された入力情報を、スピーカ２２２によって再生可能なアナログ信号に変換し、かつ増幅するものである。スピーカ２２２は、増幅された電気信号を音声に変換するものである。本実施の形態による複合機１は、音声出力部２２０を、通信履歴情報を音声にて出力するために利用する。
【００４３】
履歴記録部１０６は、他局との送信又は受信がある毎に、その通信に関する情報を通信履歴情報として通信履歴メモリ１５１に記録するものである。図３は、通信履歴メモリ１５１に記録される通信履歴情報を例示する説明図である。図３が示すように、履歴記録部１０６は、通信履歴情報を、各通信毎に、通信日時、電話番号、送信／受信、及び通信結果の各項目を互いに関連づけたテーブルとして通信履歴メモリ１５１に記録する。通信日時は、通信のあった日時であり、例えば年月日時刻である。電話番号は、送信及び受信の相手先の電話番号である。送信／受信は、通信が送信であるか受信であるかを示すものである。通信結果は、通信が良好に終了したこと、或いは通信の過程でエラーが生じたことを示すものである。
【００４４】
通信結果は、エラーが生じた場合のエラーの種別、すなわちエラーモードを更に示している。エラーモードは、従来周知のエラーコードそのものでもよく、エラーコードに対応したエラーの内容を説明するテキストデータであってもよい。エラーモードがエラーコードとして記録された場合であっても、表示部１９１等に表示する場合には、対応するテキストデータを表示することも可能である。それには、エラーコードと対応するテキストデータとを関連づけるもう一つのデータが、何らかのメモリに記録されておればよい。
【００４５】
履歴表示処理部１０７は、ユーザの指示に応じて、通信履歴情報を通信履歴メモリ１５１から読み出し、後述する特徴有る形態で表示部１９１に表示したり、記録部１３０にプリントさせたり、音声出力部２２０に出力させたりするものである。
【００４６】
図４は、履歴表示処理部１０７の構成を示すブロック図である。履歴表示処理部１０７は、履歴表示要求受付部２３１、表示画面制御部２３２、宛先選択受付部２３３、エラー選択受付部２３４、最新通信選択受付部２３６、表示形態選択受付部２３８、履歴情報読出部２３９、履歴情報表示部２４０、履歴情報プリント出力部２４１、及び履歴情報音声出力部２４２を有している。また、エラー選択受付部２３４はモード指定受付部２３５を有しており、最新通信選択受付部２３６は件数入力受付部２３７を有している。これらの履歴表示処理部１０７の各構成要素の機能については、フローチャート及び画面図を引用しつつ行う以下の動作説明の中で併せて説明する。
【００４７】
なお、宛先選択受付部２３３、及びエラー選択受付部２３４、及び最新通信選択受付部２３６は、本発明の指定受付部の一実施の形態に該当する。また、履歴情報表示部２４０、履歴情報プリント出力部２４１、及び履歴情報音声出力部２４２は、本発明の履歴情報出力部の一実施の形態に該当する。また、表示部１９１、記録部１３０、及び音声出力部２２０は、本発明の出力部の一実施形態に該当する。
【００４８】
（装置の動作）
図５及び図６は、履歴表示処理部１０７の動作の手順を示すフローチャートである。図５及び図６は、通信履歴情報のうち送信履歴に関するもの（送信履歴情報と称する）を表示する手順を示しているが、受信履歴に関するもの（受信履歴情報と称する）を表示する手順も同様である。また、図７は、表示部１９１の画面に表示される画像（当該画像をも当分野の慣習により「画面」と記載する）を例示する画面図である。以下、主として図５〜図７を引用しつつ、履歴表示処理部１０７の動作を説明する。
【００４９】
通信履歴情報を表示すべくユーザが指示操作を行う前には、表示部１９１には、図７（ａ）に例示する待ち受け画面が表示されている。この待ち受け画面は、例えば複合機１をコピー機として使用可能なように、コピー機の各種機能を表示している。当該待ち受け画面には、送信履歴表示ボタン３０１と受信履歴表示ボタン３０２とが表示されている。ユーザが送信履歴表示ボタン３０１を押すと、表示部１９１の画面に重ねて設けられているタッチパネルによりボタン操作が検出され、履歴表示要求受付部２３１（図４）により当該操作が受け付けられる。すると、表示画面制御部２３２は、表示部１９１への表示内容を、図７（ａ）の待ち受け画面から、図７（ｂ）に例示する履歴表示選択画面へ変更する（ステップＳ１）。なお、受信履歴表示ボタン３０２が押圧されたときも、図７（ｂ）と同様の画面が表示される。
【００５０】
図７（ｂ）の履歴表示選択画面には、例えば、宛先ボタン３０３、エラーボタン３０４、最新５件表示ボタン３０５、選択ボタン３０６、宛先番号表示領域３０７、件数表示領域３０８、履歴表示領域３００、終了ボタン３０９、前ページボタン３１０、及び次ページボタン３１１が表示される。
【００５１】
同時に、履歴情報読出部２３９（図４）は、通信履歴メモリ１５１から通信履歴情報を読み出し、履歴情報表示部２４０は、読み出された通信履歴情報を履歴表示領域３００に表示する。このとき、履歴表示要求受付部２３１が、送信履歴情報の表示要求を受け付けたことから、履歴情報表示部２４０は、通信履歴情報のうちの送信履歴情報、すなわち図３において、送信／受信の項目に「送信」が記録されている通信に関する情報のみを選択して、履歴表示領域３００に表示する。
【００５２】
表示部１９１の寸法が限られているため、履歴表示領域３００には、一例として、５回分の送信に関する情報のみが表示される。表示される順序は、一例として、送信日時の新しい順序であるものとする。すなわち、履歴表示領域３００には、最新の５回の送信に関する情報が表示される。ユーザが次ページボタン３１１を押圧すると、履歴情報表示部２４０は、当該操作を検知し、送信履歴情報の中から次の５回分の情報を履歴表示領域３００に表示する。同様に、ユーザが前ページボタン３１０を押圧すると、履歴情報表示部２４０は、当該操作を検知し、送信履歴情報の中から、前の５回分の情報を履歴表示領域３００に表示する。なお、ユーザが終了ボタン３０９を押すと、表示画面制御部２３２は、当該操作を検知し、画面をいつでも図７（ａ）の待ち受け画面に戻す。
【００５３】
ユーザが宛先ボタン３０３を押すと（ステップＳ２でＹｅｓ）と、宛先選択受付部２３３は、これを受け付け、ユーザが操作キー１９２のうちのテンキーを操作することにより、表示を所望する相手先電話番号を指定することを可能にする（ステップＳ３）。すなわち、宛先選択受付部２３３は、ユーザが指定する相手先電話番号を受け付け、受け付けた相手先電話番号を宛先番号表示領域３０７へ表示する。履歴情報表示部２４０は、宛先選択受付部２３３が受け付けた相手先電話番号を記憶する（ステップＳ４）。
【００５４】
ステップＳ３において、宛先選択受付部２３３は、ユーザが入力する短縮番号をも受け付ける。例えばユーザが、操作キー１９２のうちの「短縮」キーを押下した後に、短縮番号を押下すると、宛先選択受付部２３３は、制御部１００の不図示のＲＡＭ等に記録されている、短縮番号を登録しているテーブルを参照し、対応する相手先電話番号を、短縮番号と共に宛先番号表示領域３０７へ表示する。ステップＳ４において、履歴情報表示部２４０は、対応する相手先電話番号を記憶する。
【００５５】
また、ステップＳ３において、宛先選択受付部２３３は、ユーザが入力する複数の相手先電話番号、或いは複数の短縮番号をも受け付ける。この場合、ステップＳ４において、履歴情報表示部２４０は、これらの複数の相手先電話番号を記憶する。ステップＳ３において、例えば宛先ボタン３０３をユーザが再度押すと、宛先選択受付部２３３は、相手先電話番号を入力可能な状態を解除し、ステップＳ３を終了させる（ステップＳ３でＹｅｓ）。
【００５６】
ユーザがエラーボタン３０４を押すと（ステップＳ５でＹｅｓ）、エラー選択受付部２３４は、これを受け付ける。すると、表示画面制御部２３２は、表示部１９１の表示内容を図７（ｂ）の履歴表示選択画面から、図７（ｃ）のエラーモード選択画面に変更する。エラーモード選択画面には、例えば、Ｙｅｓボタン３１２、Ｎｏボタン３１３、エラーモード表示欄３１４、ＯＫボタン３１５、及び取消ボタン３１６が表示される。
【００５７】
ユーザがＹｅｓボタン３１２を押すと、モード指定受付部２３５は、これを受け付け、ユーザが操作キー１９２のうちのテンキーを操作することにより、表示を所望するエラーモードを、例えばエラーコードで指定することを可能にする（ステップＳ６）。すなわち、モード指定受付部２３５は、ユーザが指定するエラーモードを受け付け、受け付けたエラーモードをエラーモード表示欄３１４へ表示する。履歴情報表示部２４０は、モード指定受付部２３５が受け付けたエラーモードを記憶する（ステップＳ７）。
【００５８】
ステップＳ６において、モード指定受付部２３５は、ユーザが入力する複数のエラーモードをも受け付ける。この場合、ステップＳ７において、履歴情報表示部２４０は、これらの複数のエラーモードを記憶する。ステップＳ６において、ユーザがＯＫボタン３１５を押すと（ステップＳ６でＹｅｓ）、エラー選択受付部２３４は、これを受け付け、エラーモードを入力可能な状態を解除し、ステップＳ６を終了させる。ステップＳ６で、ユーザがエラーモードの指定を行わずにＯＫボタン３１５を押すか、或いは、Ｎｏボタン３１３を押すと（ステップＳ６でＮｏ）、エラー選択受付部２３４はこれを受け付け、履歴情報表示部２４０は、全てのエラーモードを記憶する（ステップＳ８）。
【００５９】
ユーザによるＯＫボタン３１５の押圧を、エラー選択受付部２３４が受け付けると、表示画面制御部２３２は、表示部１９１の表示内容を図７（ｃ）のエラーモード選択画面から図７（ｂ）の履歴表示選択画面へ戻す。ユーザが取消ボタン３１６を押すと、ユーザが入力したエラーモードが取り消される。すなわち、エラー選択受付部２３４が取消ボタン３１６の押圧を受け付けると、履歴情報表示部２４０は、既に記憶したエラーモードがあれば、これを消去する。
【００６０】
次に、履歴情報表示部２４０は、表示件数Ａを、初期値すなわちデフォルト値に初期化する（ステップＳ９）。一例として、表示件数Ａの初期値は、「５」であるとする。ステップＳ９は、ステップＳ１と同時に、或いはその前に実行されても良い。
【００６１】
ユーザが最新５件表示ボタン３０５を押すと（ステップＳ１０でＹｅｓ）、最新通信選択受付部２３６は、これを受け付け、履歴情報表示部２４０は、ユーザによる最新５件表示の指示があった旨を記憶する。同時に、件数入力受付部２３７は、ユーザが操作キー１９２のうちのテンキーを操作することにより、表示を所望する最新の通信件数、すなわち表示件数Ａを指定することを可能にする（ステップＳ１１）。すなわち、件数入力受付部２３７は、ユーザが指定する表示件数Ａを受け付け、受け付けた表示件数Ａを件数表示領域３０８へ表示する。履歴情報表示部２４０は、件数入力受付部２３７が受け付けた表示件数Ａを記憶する（ステップＳ１２）。すなわち、履歴情報表示部２４０は、表示件数Ａを、ユーザが入力した数値へ更新する。ステップＳ１１において、ユーザが、例えば表示件数Ａの入力を行わなければ（ステップＳ１１でＮｏ）、表示件数Ａは、初期値「５」に維持される。
【００６２】
ユーザが選択ボタン３０６を押すと（ステップＳ１４でＹｅｓ）、表示形態選択受付部２３８は、これを受け付ける。例えば、ユーザが選択ボタン３０６を一度押すと、履歴情報表示部２４０は、送信履歴情報のうち、記憶した宛先番号、エラーモード、表示件数Ａの何れかに該当する通信に関する情報のみを、表示部１９１へ表示する（ステップＳ１５）。すなわち、履歴情報表示部２４０は、ユーザが指定した種類の情報のみを選択表示する。同時に、表示画面制御部２３２は、表示部１９１の表示内容を図７（ｂ）の履歴表示選択画面から、以下の図８〜図１１に例示する選択表示画面へ変更する。
【００６３】
図８は、ユーザが１つの宛先電話番号を指定した場合の選択表示画面の一例を示す画面図である。図８の選択表示画面には、ユーザが指定した宛先電話番号が表示されるとともに、履歴表示領域３００に、ユーザが指定した種類の情報が表示される。履歴表示領域３００には、図３に例示される通信履歴情報のうち、宛先電話番号がユーザ指定の宛先電話番号に該当し、送信／受信が送信に該当する通信に関する情報（行、タプル）が選択されて表示されている。指定された相手先電話番号は、別欄に表示されており、通信履歴情報として送信履歴情報が選択されていることはユーザに自明であるので、これらの２項目は、履歴表示領域３００への表示対象から外されている。
【００６４】
選択表示画面には、更に、終了ボタン３０９、前ページボタン３１０及び次ページボタン３１１が表示されている。これらのボタンの機能は、図７（ｂ）に例示した履歴表示選択画面における同符号のボタンとそれぞれ同一である。選択表示画面には、更に、プリントボタン３２０及び音声ボタン３２１が表示されている。これらのボタンの機能については後述する。
【００６５】
図９は、ユーザが１つのエラーモードを指定した場合の選択表示画面の一例を示す画面図である。図９の選択表示画面には、ユーザが指定したエラーモードが表示されるとともに、履歴表示領域３００に、ユーザが指定した種類の情報が表示される。すなわち、履歴表示領域３００には、図３に例示される通信履歴情報のうち、エラーモードがユーザ指定のエラーモードに該当し、送信／受信が送信に該当する通信に関する情報が選択されて表示されている。指定されたエラーモードは、別欄に表示されており、通信履歴情報として送信履歴情報が選択されていることはユーザに自明であるので、これらの２項目は、履歴表示領域３００への表示対象から外されている。
【００６６】
図１０は、ユーザが最新５件表示を指定した場合の選択表示画面の一例を示す画面図である。図１０の選択表示画面には、ユーザが指定した最新５件表示である旨が表示されるとともに、履歴表示領域３００に、ユーザが指定した種類の情報が表示される。すなわち、履歴表示領域３００には、図３に例示される通信履歴情報のうち、通信日時がユーザ指定の最新５件の範囲内に該当し、送信／受信が送信に該当する通信に関する情報が選択されて表示されている。通信履歴情報として送信履歴情報が選択されていることはユーザに自明であるので、この１項目は、履歴表示領域３００への表示対象から外されている。
【００６７】
図１１は、ユーザが１つの相手先電話番号と１つのエラーモードとを指定した場合の選択表示画面の一例を示す画面図である。図１１の選択表示画面には、ユーザが指定した相手先電話番号とエラーモードとが表示されるとともに、履歴表示領域３００に、ユーザが指定した種類の情報が表示される。すなわち、履歴表示領域３００には、図３に例示される通信履歴情報のうち、相手先電話番号がユーザ指定の相手先電話番号に該当し、且つ送信／受信が送信に該当する通信に関する情報と、エラーモードがユーザ指定のエラーモードに該当し、送信／受信が送信に該当する通信に関する情報とが選択されて表示されている。通信履歴情報として送信履歴情報が選択されていることはユーザに自明であるので、この１項目は、履歴表示領域３００への表示対象から外されている。
【００６８】
履歴情報表示部２４０は、ユーザが指定した２種類の情報を、ユーザが容易に見分けることを可能にするために、これら２種類の情報（行、タプル）を、文字色の相違、背景色の相違、文字と背景との色反転、太文字、斜体字等の文字フォントの相違等の、互いに異なる表示形式で表示する。ユーザが指定した情報の種類が３種類であれば、履歴情報表示部２４０は、３種の異なる表示形式で、指定された情報を表示する。
【００６９】
ユーザが選択表示画面の上でプリントボタン３２０を押すと（ステップＳ１９）、履歴情報プリント出力部２４１は、これを受け入れ、送信履歴情報のうち、履歴情報表示部２４０が記憶する宛先番号、エラーモード、表示件数Ａの何れかに該当する通信に関する情報のみを、記録部１３０にプリントさせる（ステップＳ２０）。それにより、選択表示画面に表示された内容が記録紙にプリントされる。ユーザが指定した情報の種類が複数種類であれば、履歴情報プリント出力部２４１は、履歴情報表示部２４０と同様に、文字色の相違、文字フォントの相違等の種類毎に異なる表現形式で、指定された情報をプリントさせる。
【００７０】
ユーザが選択表示画面の上で音声ボタン３２１を押すと（ステップＳ２１）、履歴情報音声出力部２４２は、これを受け入れ、送信履歴情報のうち、履歴情報表示部２４０が記憶する宛先番号、エラーモード、表示件数Ａの何れかに該当する通信に関する情報のみを、音声出力部２２０に音声出力させる（ステップＳ２２）。それにより、選択表示画面に表示された内容が音声で読み上げられる。ユーザが指定した情報の種類が複数種類であれば、履歴情報音声出力部２４２は、種類毎に異なる表現形式、例えば男女の声、大人と子供の声、ソプラノからバスまでの異なる音程等を用いて、指定された情報を音声出力させる。
【００７１】
図５に戻って、例えば、ユーザが選択ボタン３０６を続けて２度押すと（ステップＳ１４でＮｏ）、表示形態選択受付部２３８は、これを受け付け、履歴情報表示部２４０は、送信履歴情報のうち、記憶した指定内容、すなわち宛先番号、エラーモード、表示件数Ａ等に該当する通信に関する情報を、指定のない表示とは異なる表示形式で表示部１９１へ表示する（ステップＳ１８）。すなわち、履歴情報表示部２４０は、ユーザが指定した種類の情報を特殊表示する。同時に、表示画面制御部２３２は、表示部１９１の表示内容を図７（ｂ）の履歴表示選択画面から、図１２に例示する特殊表示画面へ変更する。
【００７２】
図１２は、図１１と同様に、ユーザが１つの相手先電話番号と１つのエラーモードとを指定した場合の特殊表示画面の一例を示す画面図である。図１２の特殊表示画面には、ユーザが指定した相手先電話番号とエラーモードとが表示されるとともに、履歴表示領域３００に、ユーザが指定した種類の情報が特殊表示される。すなわち、履歴表示領域３００には、図３に例示される通信履歴情報のうち、相手先電話番号がユーザ指定の相手先電話番号に該当し、且つ送信／受信が送信に該当する通信に関する情報と、エラーモードがユーザ指定のエラーモードに該当し、送信／受信が送信に該当する通信に関する情報とが、特殊表示の形式で表示されている。通信履歴情報として送信履歴情報が選択されていることはユーザに自明であるので、図１１の例と同様に、この１項目は、履歴表示領域３００への表示対象から外されている。特殊表示は、表示される送信履歴情報の中からユーザが指示する情報をユーザが容易に見分けることが可能となるように、例えば、文字色の相違、背景色の相違、文字と背景との色反転、太文字、斜体字等の文字フォントの相違等を用いて、他の情報とは異なる表示形式とするものである。特に、ユーザが指示する情報の方が、より目立つような表示形式を選択するのが望ましい。
【００７３】
図１２の例では、ユーザは２種類の情報を指定しているので、履歴情報表示部２４０は、これら２種類の情報の間でも、ユーザが容易に見分けることを可能にするために、これら２種類の情報を、文字色の相違、背景色の相違、文字と背景との色反転、太文字、斜体字等の文字フォントの相違等の、互いに異なる表示形式で表示する。ユーザが指定した情報の種類が３種類であれば、履歴情報表示部２４０は、３種の異なる表示形式で、指定された情報を表示する。
【００７４】
図１２に例示する特殊表示画面にも、終了ボタン３０９、プリントボタン３２０等が表示される。これらのボタンの機能は、図８等に示した同一符号のボタンの機能と同様である。ユーザが特殊表示画面の上でプリントボタン３２０を押すと（ステップＳ１９）、履歴情報プリント出力部２４１は、これを受け入れ、ステップＳ１で履歴情報読出部２３９が読み出した通信履歴情報のうちの送信履歴情報を記録部１３０にプリントさせる。この時、履歴情報プリント出力部２４１は、履歴情報表示部２４０が記憶する宛先番号、エラーモード、表示件数Ａの何れかに該当する通信に関する情報を、例えば、文字色の相違、文字フォントの相違等を用いて、他の情報とは異なる表現形式でプリントさせる（ステップＳ２０）。それにより、特殊表示画面に表示された内容が記録紙にプリントされる。ユーザが指定した情報の種類が複数種類であれば、履歴情報プリント出力部２４１は、履歴情報表示部２４０と同様に、文字色の相違、文字フォントの相違等の種類毎に異なる表現形式で、指定された情報をプリントさせる。
【００７５】
ユーザが特殊表示画面の上で音声ボタン３２１を押すと（ステップＳ２１）、履歴情報音声出力部２４２は、これを受け入れ、ステップＳ１で履歴情報読出部２３９が読み出した通信履歴情報のうちの送信履歴情報を音声出力部２２０に音声出力させる。この時、履歴情報音声出力部２４２は、履歴情報表示部２４０が記憶する宛先番号、エラーモード、表示件数Ａの何れかに該当する通信に関する情報を、例えば男女の声、異なる音程等を用いて、他の情報とは異なる表現形式で音声出力させる（ステップＳ２２）。それにより、選択表示画面に表示された内容が音声で読み上げられる。ユーザが指定した情報の種類が複数種類であれば、履歴情報音声出力部２４２は、種類毎に異なる表現形式、例えば男女の声、異なる音程等を用いて、指定された情報を音声出力させる。
【００７６】
既に述べたとおり、ユーザが終了ボタン３０９を押すと（ステップＳ２３）、表示画面制御部２３２は、当該操作を検知し、画面をいつでも図７（ａ）の待ち受け画面に戻す（ステップＳ２４）。終了ボタン３０９が押されなければ、処理は、ステップＳ１５又はＳ１８が終了した状態に戻る。
【００７７】
なお、図７（ｂ）、図７（ｃ）、図８〜図１２は、通信履歴情報のうち送信履歴情報を表示する場合の画面を例示したが、受信履歴情報を表示する場合の画面も同様である。
【００７８】
（その他の実施の形態）
（１）表示形態選択受付部２３８が、ユーザによる選択ボタン３０６の操作を受け付けたときには、選択表示と特殊表示の何れが受け付けられたかがユーザに分かるように、表示画面制御部２３２は、例えば「選択表示」或いは「特殊表示」の文字等を表示部１９１の選択ボタン３０６の付近等に表示するのが望ましい。また、選択ボタン３０６を押す回数は、選択表示と特殊表示との間で、上記とは逆に設定しても良い。更に、選択ボタン３０６を１回押す毎に、特殊表示（ステップＳ１８）と選択表示（ステップＳ１５）との間で表示形態が随時に切り替わるように、表示形態選択受付部２３８及び履歴情報表示部２４０を構成しても良い。この場合、一旦、特殊表示（ステップＳ１８）又は選択表示（ステップＳ１５）がなされても、選択ボタン３０６が押される毎に、表示形態が交互に入れ替わる。
【００７９】
（２）  上記の実施の形態によるファクシミリ装置では、ユーザが選択ボタン３０６を操作した後に、選択表示（ステップＳ１５）と特殊表示（ステップＳ１８）との何れかが選択的に行われた。これに対して、選択ボタン３０６が押されない限り、ステップＳ２、Ｓ５、Ｓ１０の何れかにおいて、相手先電話番号の指定、エラー通信を表示すべき旨の指定、最新５件を表示すべき旨の指定等がある毎に、履歴情報表示部２４０は、ユーザが指定した種類の情報を特殊表示（ステップＳ１８）してもよい。この場合には、ユーザが選択ボタン３０６を押すことによって、初めて選択表示（ステップＳ１５）が行われる。その後は、上記（１）に記載したように、選択ボタン３０６が押される毎に、特殊表示（ステップＳ１８）と選択表示（ステップＳ１５）との間で表示形態が交互に入れ替わってもよい。
【００８０】
（３）  上記の実施の形態によるファクシミリ装置では、選択表示又は特殊表示すべき宛先電話番号、及びエラーモードの指定は、テンキーボードを用いて行われるように構成された。これに対して、これらの指定を履歴表示選択画面の上で行うことが可能なようにファクシミリ装置を構成することも可能である。図１３は、その一例を示す履歴表示選択画面の図である。
【００８１】
図１３の例では、履歴表示領域３００に表示された送信履歴情報の上で、ユーザが例えば特定の相手先電話番号を押圧すると、宛先ボタン３０３を押圧し、且つ当該特定の相手先電話番号を入力したことと同等の結果となる。すなわち、相手先電話番号が、押圧された特定の相手先電話番号に該当する全ての通信の情報が、直ちに特殊表示される。そのためには、宛先選択受付部２３３が当該押圧を受け付け、履歴情報表示部２４０が特殊表示を実現するとよい。
【００８２】
また、ユーザが特定のエラーモードを押圧すると、エラーボタン３０４を押圧し、且つ当該特定のエラーモードを入力したことと同等の結果となる。それにより例えば、エラーモードが、押圧された特定のエラーモードに該当する全ての通信の情報が、直ちに特殊表示される。そのためには、エラー選択受付部２３４が当該押圧を受け付け、履歴情報表示部２４０が特殊表示を実現するとよい。履歴情報表示部２４０は、特殊表示が複数種類となる場合には、表示形式を異ならせてそれぞれを表示する。
【００８３】
エラーモードの特定と非特定の双方を区別して、エラー表示を指定することを可能にするには、例えば、通信結果の項目中の「エラーモードＸＸ」という表示のうち、「エラー」の部分を押圧することにより、エラーボタン３０４の押圧と同様にエラー表示を指定することができ、「モードＸＸ」の部分を押圧することにより、エラーモードの指定が可能なように、エラー選択受付部２３４を構成すると良い。
【００８４】
ユーザが選択ボタン３０６を押圧すると、履歴表示領域３００に特殊表示されていた送信履歴情報が、選択表示に変更される。すなわち、特殊表示されていた情報のみが選択されて表示される。ユーザが再び選択ボタン３０６を押圧すると、選択表示は特殊表示へ戻る。すなわち、表示形態選択受付部２３８が選択ボタン３０６の押圧を受け付ける毎に、履歴情報表示部２４０は、ステップＳ１５とＳ１８の処理を交互に実行する。
【００８５】
（４）  上記の実施の形態では、通信履歴情報の表示は、ユーザが送信履歴表示ボタン３０１又は受信履歴表示ボタン３０２の何れかを押圧することにより、通信履歴情報の表示を指示したことに応答して行われた。これに対して、例えば、定期的に表示を行うなど、履歴表示の時期として様々な形態を採り得る。この場合、予めユーザが指定している情報が、選択的に出力され、或いは特殊な表現形式で出力される。表示部１９１への表示だけでなく、或いはそれに代えて、プリント出力、音声出力を、定期的に行うことも可能である。
【００８６】
（５）  上記の実施形態では、本発明のファクシミリ装置が複合機１として具体化された。これに対して、本発明のファクシミリ装置は、ファクシミリ機能のみを単機能として有するファクシミリ専用機をも含むことは言うまでもない。更に。本発明のファクシミリ装置は、電話回線を通じてＧ３規格に基づいて通信を行う通常タイプのものだけでなく、ＴＣＰ／ＩＰ等のインタネット関連プロトコルに従ってファクシミリ通信を行う、いわゆるインタネットファクシミリ装置をも含む。
【００８７】
（６）  上記の実施形態では、例えば送信履歴表示ボタン３０１を押圧することにより、ユーザが送信履歴情報の表示を指示すると、履歴情報読出部２３９は、通信履歴情報を通信履歴メモリ１５１から読み出し、履歴情報表示部２４０は、そのうちの送信履歴情報を履歴表示領域３００に表示した。これに対して、履歴情報読出部２３９は、ユーザが指示する送信履歴情報を通信履歴メモリ１５１から読み出し、履歴情報表示部２４０は、読み出された送信履歴情報を履歴表示領域３００に表示してもよい。受信履歴表示ボタン３０２が押圧された場合も同様である。
【００８８】
（７）  上記の実施形態では、送信履歴表示ボタン３０１等を押圧することにより、ユーザが送信履歴情報等の表示を指示した後に、まず、履歴情報読出部２３９は、通信履歴情報を通信履歴メモリ１５１から読み出し、履歴情報表示部２４０は、そのうちの送信履歴情報等を履歴表示領域３００に表示した。これに対して、選択ボタン３０６により、特殊表示又は選択表示の何れかの表示形態が選択された後に、履歴情報読出部２３９は、通信履歴情報を通信履歴メモリ１５１から読み出し、履歴情報表示部２４０は、そのうちの送信履歴情報等を履歴表示領域３００に表示するような構成を採っても良い。この場合には、ユーザが選択ボタン３０６により選択表示を指定しておれば、履歴情報読出部２３９は、指示された送信履歴情報等のうち選択表示すべき特定の情報のみを通信履歴メモリ１５１から読み出し、履歴情報表示部２４０は、読み出された情報を履歴表示領域３００に表示するような構成を採っても良い。
【図面の簡単な説明】
【００８９】
【図１】本発明の一実施形態によるファクシミリ装置の内部構成を概略的に示す側面図である。
【図２】図１の複合機の概略構成を示すブロック図である。
【図３】通信履歴メモリに記録される通信履歴情報を例示する説明図である。
【図４】図２の履歴表示処理部の構成を示すブロック図である。
【図５】図２の履歴表示処理部の動作手順を示すフローチャートである。
【図６】図２の履歴表示処理部の動作手順を示すフローチャートである。
【図７】図２の表示部の画面に表示される画像を例示する画面図である。
【図８】選択表示画面の一例を示す画面図である。
【図９】選択表示画面の一例を示す画面図である。
【図１０】選択表示画面の一例を示す画面図である。
【図１１】選択表示画面の一例を示す画面図である。
【図１２】特殊表示画面の一例を示す画面図である。
【図１３】他の実施の形態による履歴表示選択画面の一例を示す画面図である。
【符号の説明】
【００９０】
１  複合機（ファクシミリ装置）
１５１  通信履歴メモリ（メモリ）
１９１  表示部（出力部）
１３０  記録部（出力部）
２２０  音声出力部（出力部）
１０６  履歴記録部
１０７  履歴表示処理部
２３３  宛先選択受付部（指定受付部）
２３４  エラー選択受付部（指定受付部）
２３６  最新通信選択受付部（指定受付部）
２４０  履歴情報表示部（履歴情報出力部）
２４１  履歴情報プリント出力部（履歴情報出力部）
２４２  履歴情報音声出力部（履歴情報出力部）
【図１】
2007074253.tif 000003
【図２】
2007074253.tif 000004
【図３】
2007074253.tif 000005
【図４】
2007074253.tif 000006
【図５】
2007074253.tif 000007
【図６】
2007074253.tif 000008
【図７】
2007074253.tif 000009
【図８】
2007074253.tif 000010
【図９】
2007074253.tif 000011
【図１０】
2007074253.tif 000012
【図１１】
2007074253.tif 000013
【図１２】
2007074253.tif 000014
【図１３】
2007074253.tif 000015